(57)【特許請求の範囲】
【請求項１】
光透過口（３）が開口するアルミ押出管（１）の円周面に、光を透過し得るポリオレフィン系合成樹脂エラストマーのカバーチューブ（２）が被着一体化された手摺り本体（Ｇ）と、
その手摺り本体（Ｇ）の両端部を屋内の壁面（Ｍ）へ固定支持させる一対の開閉可能な中空手摺り受け（Ｂ）とから成り、
予じめ多数のＬＥＤ（８）が点在分布状態に植え付けられたＬＥＤ配線基板（７）を、上記アルミ押出管（１）の中空内部へ差し込み敷設すると共に、そのＬＥＤ配線基板（７）の一端部を上記手摺り受け（Ｂ）の中空内部から交流電源（３６）へ接続配線することにより、
上記ＬＥＤ（８）の発光がアルミ押出管（１）の光透過口（３）からカバーチューブ（２）を通じて、手摺り本体（Ｇ）の握り持ち手を照明する屋内用照明手摺りにおいて、
上記アルミ押出管（１）の中空内部がその光透過口（３）の存在しない裏側へ偏心した位置に横断する補強仕切り壁（４）により、表側の比較的広大なＬＥＤ配線基板用収納スペース（Ｓ１）と裏側の比較的狭小なデッドスペース（Ｓ２）とに区分されて、その収納スペース（Ｓ１）へ上記ＬＥＤ配線基板（７）が抜き差し自在に差し込み敷設されている一方、
上記手摺り受け（Ｂ）が各々手摺り本体（Ｇ）の端部へ差し込み套嵌される差込み口筒（１２）と、屋内の壁面（Ｍ）へ取り付け固定される箱形の取付脚柱（１３）と、その取付脚柱（１３）の開閉可能な背面カバー（１７）とから構成されており、
その手摺り受け（Ｂ）の差込み口筒（１２）と取付脚柱（１３）とを区分する垂直な仕切り壁（１４）の中央部には並列する一対のビス受け入れ孔（１５）と、同じく仕切り壁（１４）の先端部には１個の配線口（１６）とが各々開口されており、
上記アルミ押出管（１）における裏側の半分よりも大きな面積の超半円形金属板から成り、且つその金属板からアルミ押出管（１）の上記デッドスペース（Ｓ２）へ差し込み固定されるほぼ半円柱状の差込み凸子（２１）が内向き一体的に張り出すエンド座金（２０）の直径線（Ｘ−Ｘ）上には、上記手摺り受け（Ｂ）における仕切り壁（１４）のビス受け入れ孔（１５）と対応合致する一対のネジ孔（２３）と、同じくエンド座金（２０）の中央部にはその直径線（Ｘ−Ｘ）と直交する関係状態として上記仕切り壁（１４）の配線口（１６）と連通する配線溝（２５）とが各々形成されており、
上記手摺り本体（Ｇ）と手摺り受け（Ｂ）との組立状態を得るために、手摺り受け（Ｂ）側のビス受け入れ孔（１５）から手摺り本体（Ｇ）側のネジ孔（２３）へ各々螺入締結される一対の固定ビス（２４）を備えていると共に、
上記手摺り受け（Ｂ）の取付脚柱（１３）が直流電源ボックスとして兼用され、その取付脚柱（１３）の背面カバー（１７）には停電時における直流電源（３７）の受け枠（４２）と、停電を検知して上記ＬＥＤ（８）を発光させる制御回路基板（４０）とが、内側から共通の支持脚（４７）によって取り付け固定されており、
その手摺り受け（Ｂ）側の制御回路基板（４０）と上記手摺り本体（Ｇ）側のＬＥＤ配線基板（７）とが、手摺り受け（Ｂ）側の上記配線口（１６）へ導通される給電線（４１）を介して接続され
上記制御回路基板（４０）が停電を検知した非常時に、ＬＥＤ（８）の発光が手摺り本体（Ｇ）の長手方向に沿って一方向へ流れるように制御されるように定めたことを特徴とする屋内用照明手摺り。
【請求項２】
平常時にＬＥＤ（８）の発光スイッチとなる赤外線センサー（４３）が、制御回路基板（４０）から手摺り受け（Ｂ）の取付脚柱（１３）における背面カバー（１７）の外部へ露出されたことを特徴とする請求項１記載の屋内用照明手摺り。
【請求項３】
光透過口（３）がアルミ押出管（１）の長手方向に沿い点在分布する多数として、しかもその各個が文字、図形又は記号から成る標章の輪郭形状に切り抜かれていることを特徴とする請求項１記載の屋内用照明手摺り。
【発明の詳細な説明】
【技術分野】
【０００１】
本発明は一般家庭を初め、特に学校や病院、老人介護施設、ホテル、駅、その他の各種公共施設における階段や廊下、通路などに有効な屋内用照明手摺りに関する。
【背景技術】
【０００２】
災害の発生により停電した非常時、人を一方向へ避難誘導できるＬＥＤ照明装置が、特許文献１、２に開示されている。
【先行技術文献】
【特許文献】
【０００３】
【特許文献１】実用新案登録第３１１７６０３号公報
【特許文献２】特開２００９−１０５０２０号公報
【発明の概要】
【発明が解決しようとする課題】
【０００４】
ところが、特許文献１に記載の避難誘導装置は蓄電池を具備していることになっているが、その設置個所が不明であって、机上の理論だけを説明しているに過ぎない。それにもまして、災害発生時発光ダイオード（ＬＥＤ）の発光方向を出口と反対方向へ発光させるようになっているため、人の避難誘導を確実に行うことが困難である。
【０００５】
他方、特許文献２に記載のＬＥＤ照明装置は、蛍光灯器具から取りはずしたときにスイッチ（２５）が入り、これを携帯するものであるため、たとえＬＥＤ（４）の発光が一方向へ流れるパターンになっていても、その避難方向と逆向きに携帯使用されることもあり得る。
【０００６】
しかも、停電時に働く直流電源（２８）は従来の蛍光灯と同様な長さの管体（２）に内蔵されているため、そのＬＥＤ（４）の個数が増加したり、ＬＥＤプリント基板（５）が長くなったりすると、その直流電源（２８）の容量不足を惹起してしまい、その変化に対応することができず、その意味から長い階段や通路、廊下などに取り付け固定される照明手摺りには、到底適用することができない。
【課題を解決するための手段】
【０００７】
本発明はこのような課題の改良を目的としており、その目的を達成するために、請求項１では光透過口が開口するアルミ押出管の円周面に、光を透過し得るポリオレフィン系合成樹脂エラストマーのカバーチューブが被着一体化された手摺り本体と、
【０００８】
その手摺り本体の両端部を屋内の壁面へ固定支持させる一対の開閉可能な中空手摺り受けとから成り、
【０００９】
予じめ多数のＬＥＤ（発光ダイオード）が点在分布状態に植え付けられたＬＥＤ配線基板を、上記アルミ押出管の中空内部へ差し込み敷設すると共に、そのＬＥＤ配線基板の一端部を上記手摺り受けの中空内部から交流電源へ接続配線することにより、
【００１０】
上記ＬＥＤの発光がアルミ押出管の光透過口からカバーチューブを通じて、手摺り本体の握り持ち手を照明する屋内用照明手摺りにおいて、
【００１１】
上記アルミ押出管の中空内部がその光透過口の存在しない裏側へ偏心した位置に横断する補強仕切り壁により、表側の比較的広大なＬＥＤ配線基板用収納スペースと裏側の比較的狭小なデッドスペースとに区分されて、その収納スペースには上記ＬＥＤ配線基板が抜き差し自在に差し込み敷設されている一方、
【００１２】
上記手摺り受けが各々手摺り本体の端部へ差し込み套嵌される差込み口筒と、屋内の壁面へ取り付け固定される箱形の取付脚柱と、その取付脚柱の開閉可能な背面カバーとから構成されており、
【００１３】
その手摺り受けの差込み口筒と取付脚柱とを区分する垂直な仕切り壁の中央部には並列する一対のビス受け入れ孔と、同じく仕切り壁の先端部には１個の配線口とが各々開口されており、
【００１４】
上記アルミ押出管における裏側の半分よりも大きな面積の超半円形金属板から成り、且つその金属板からアルミ押出管の上記デッドスペースへ差し込み固定されるほぼ半円柱状の差込み凸子が内向き一体的に張り出すエンド座金の直径線上には、上記手摺り受けにおける仕切り壁のビス受け入れ孔と対応合致する一対のネジ孔と、同じくエンド座金の中央部にはその直径線と直交する関係状態として上記仕切り壁の配線口と連通する配線溝とが各々形成されており、
【００１５】
上記手摺り本体と手摺り受けとの組立状態を得るために、手摺り受け側のビス受け入れ孔から手摺り本体側のネジ孔へ各々螺入締結される一対の固定ビスを備えていると共に、
【００１６】
上記手摺り受けの取付脚柱が直流電源ボックスとして兼用され、その取付脚柱の背面カバーには停電時における直流電源の受け枠と、停電を検知して上記ＬＥＤを発光させる制御回路基板とが、内側から共通の支持脚によって取り付け固定されており、
【００１７】
その手摺り受け側の制御回路基板と上記手摺り本体側のＬＥＤ配線基板とが、手摺り受け側の上記配線口へ導通される給電線を介して接続され、
【００１８】
上記制御回路基板が停電を検知した非常時に、ＬＥＤの発光が手摺り本体の長手方向に沿って一方向へ流れるように制御されるように定めたことを特徴とする。
【００１９】
又、請求項１に従属する請求項２では平常時にＬＥＤの発光スイッチとなる赤外線センサーが、制御回路基板から手摺り受けの取付脚柱における背面カバーの外部へ露出されたことを特徴とする。
【００２０】
更に、同じく請求項１に従属する請求項３では光透過口がアルミ押出管の長手方向に沿い点在分布する多数として、しかもその各個が文字、図形又は記号から成る標章の輪郭形状に切り抜かれていることを特徴とする。
【発明の効果】
【００２１】
請求項１の上記構成によれば、中空手摺り受け（エンドブラケット）の取付脚柱を直流電源ボックスとして兼用し、その取付脚柱の開閉可能な背面カバーに、停電時ＬＥＤの発光を制御する回路基板と、その停電時における直流電源の受け枠とを、内側から取り付け固定しているため、特別の直流電源ボックスが不要となり、必要構成の簡素化と施工性並びに壁面の意匠効果が向上する。
【００２２】
そして、停電した非常時にはＬＥＤの発光が手摺り本体の長手方向に沿って一方向へ流れる（走査する）ように制御されるため、その方向の目標個所を建物の平常出入り口や非常口となるように設定しておくことにより、人の避難誘導を自づと確実に行えるのである。
【００２３】
又、アルミ押出管における裏側の半分よりも大きな面積の超半円形金属板から成るエンド座金の直径線上に、手摺り受け側の仕切り壁に開口しているビス受け入れ孔と合致連通する一対のネジ孔が開口形成されており、そのビス受け入れ孔からネジ孔へ螺入締結する一対の固定ビスによって、手摺り本体とその手摺り受けとを組立一体化するようになっていると共に、そのエンド座金から内向き一体的に張り出すほぼ半円柱状の差込み凸子を、アルミ押出管のデッドスペースへ差し込み固定するようになっているため、上記手摺り本体とその手摺り受けとの組立て上、ＬＥＤからの投光方向を１８０度だけ変えることができる。
【００２４】
しかも、その投光方向を変える場合、エンド座金の中央部に上記直径線と直交する関係として列設された配線溝を使用して、その配線溝から手摺り受けの仕切り壁に開口している配線口へ、給電線を極力短かい長さでの支障なく配線できる効果がある。
【００２５】
特に、請求項２の構成を採用するならば、平常時には赤外線センサーにより手摺り本体へ接近する人体を検知して、その手摺り本体のＬＥＤを自動的に発光（点灯）させることができるため、省エネ効果の向上に役立つ。
【００２６】
更に、請求項３の構成を採用するならば、アルミ押出管の点在分布状態に開口する多数の光透過口から、その長手方向に沿って開口する長い一条の光透過と同じく、ＬＥＤの発光が光透過性のカバーチューブを通じて外部へ透過することは勿論のこと、その多数の光透過口から発光する標章の輪郭形状により、子供の遊戯性や愛着感などに富む光の興趣変化を与えることができ、特に保育園や小学校などの廊下や階段、通路などにふさわしい照明手摺りをと得られる効果がある。
【図面の簡単な説明】
【００２７】
【図１】本発明に係る屋内用照明手摺りの第１実施形態を示す斜面図である。
【図２】図１の照明手摺りを下方から見た拡大断面図である。
【図３】図１の部分拡大正面図である。
【図４】図３の４−４線断面図である。
【図５】図３の５−５線断面図である。
【図６】図５の正面図である。
【図７】手摺り本体のアルミ押出管を抽出して示す斜面図である。
【図８】図７の８−８線断面図である。
【図９】手摺り本体とカバーチューブを抽出して示す斜面図である。
【図１０】ＬＥＤ配線基板を抽出して示す斜面図である。
【図１１】図１０の１１−１１線拡大断面図である。
【図１２】別なＬＥＤ配線基板を示す斜面図である。
【図１３】図１２の１３−１３線拡大断面図である。
【図１４】ＬＥＤ配線基板支持用のアダプターを抽出して示す斜面図である。
【図１５】別なＬＥＤ配線基板支持用のアダプターを示す斜面図である。
【図１６】図４の１６−１６線断面図である。
【図１７】図１２の別なＬＥＤ配線基板を使用した状態の図１６に対応する断面図である。
【図１８】手摺り本体のエンド座金を抽出して示す斜面図である。
【図１９】図１８の正面図である
【図２０】図１９の２０−２０線断面図である。
【図２１】本発明の屋内用照明手摺りの配線ブロック図である。
【図２２】本発明におけるＬＥＤの発光方法を示す模式図である。
【図２３】本発明に係る屋内用照明手摺りの第２実施形態を示す図５に対応する断面図である。
【図２４】図２３の正面図である。
【図２５】本発明に係る屋内用照明手摺りの第３実施形態を示す斜面図である。
【図２６】図２５の正面図である。
【図２７】図２６の２７−２７線断面図である。
【図２８】手摺り受けの開閉用背面カバーを抽出して示す正面図である。
【図２９】アルミ押出管の変形実施形態を示す斜面図である。
【図３０】図２９の３０−３０線断面図である。
【図３１】アルミ押出管に開口する光透過口の変形実施形態を示す平面図である。
【図３２】本発明に係る屋内用照明手摺りの屈曲させた施工状態を示す部分平面図である。
【図３３】図３２の拡大断面図である。
【図３４】図３２の屈曲部分に使うフレキシブル継手を抽出して示す断面図である。
【図３５】図３４の３５−３５線拡大断面図である
【発明を実施するための形態】
【００２８】
以下、図面に基いて本発明の具体的構成を詳述すると、先ず図１〜６はその本発明に係る屋内用照明手摺りの第１実施形態を示しており、（Ｇ）は一定長さのストレートな手摺り本体であって、アルミ押出管（１）とその円周面へ通し込み状態に被着一体化されたカバーチューブ（２）との二重構造をなしている。
【００２９】
手摺り本体（Ｇ）のアルミ押出管（１）は図７、８のような一定の外径（Ｄ）（例えば約２８mm）と厚み（Ｔ）（例えば約２mm）を有し、その円周面には一定な開口幅（Ｏ１）（例えば約６mm）の光透過口（３）が、長手方向に沿う一条として切り欠き列設されている。又、同じくアルミ押出管（１）の中空内部はその光透過口（３）の存在しない側（裏側）へ偏心した位置を横断する補強仕切り壁（４）によって、表側の比較的広大なアダプター用収納スペース（Ｓ１）と、裏側の比較的狭小なデッドスペース（Ｓ２）とに区分されている。
【００３０】
しかも、アルミ押出管（１）は上記光透過口（３）の中心を通る直径線（Ｙ−Ｙ）上での対称な押出断面形状として、その中央部のアダプター受け入れ口（５）を挟んで並列する一対のフラットな張出し面（１ａ）と、上記光透過口（３）の開口縁部をなす一対の円弧面（１ｂ）とが鋭角に交叉する角隅部に、向かい合う一対の溝レール（６）を造形しており、その両溝レール（６）へ後述するＬＥＤ配線基板支持用アダプター（Ａ１）の張出しフランジを受け入れ係止して、言わば吊り掛け状態に保つことができるようになっている。
【００３１】
更に、後述の張出しフランジがない別なＬＥＤ配線基板支持用アダプター（Ａ２）を、アルミ押出管（１）の上記アダプター受け入れ口（５）へ受け入れて、下方から上記補強仕切り壁（４）により保持することもできるようになっている。（Ｏ２）は上記アダプター受け入れ口（５）の開口幅を示しており、これは光透過口（３）の開口幅（Ｏ１）よりも広く、一例として約１１mmである。
【００３２】
他方、上記手摺り本体（Ｇ）のカバーチューブ（２）は光を透過し得るポリオレフィン系合成樹脂エラストマー（好ましくは商品名：住友ＴＰＥ）から、その内径（ｄ）が上記アルミ押出管（１）の外径（Ｄ）よりも小さい寸法として、図９のように押出成形された製品であり、その適度な弾力性によって握り持ち使用上の馴染みが良いソフト感を与えるほか、自由自在に屈曲させることもできる。
【００３３】
その場合、カバーチューブ（２）の一定な厚み（ｔ）を例えば約４〜５mmとして、上記アルミ押出管（１）の厚み（Ｔ）よりも厚肉化すると共に、そのカバーチューブ（２）の円周面に単一の着色カラーか、又は屋内の壁面（Ｍ）と調和する木目柄や抽象柄、その他の着色模様（図示省略）を施すことにより、装飾効果を発揮させることが望ましい。
【００３４】
何れにしても、表皮材であるカバーチューブ（２）の内径（ｄ）はその剛性な芯材となる上記アルミ押出管（１）の外径（Ｄ）よりも、予じめ若干小さく寸法化されているため、そのアルミ押出管（１）の円周面を湿し水によって拭いた後、アルミ押出管（１）の一端部を受け止めた固定状態のもとで、残る他端部からカバーチューブ（２）をアルミ押出管（１）へ強制的に押し込み套嵌させることにより、その全体長さ分に亘って通し込めば良い。
【００３５】
特に、長い手摺り本体（Ｇ）のアルミ押出管（１）へカバーチューブ（２）を被着一体化させる場合には、そのカバーチューブ（２）を膨張促進できる予備状態に加熱しておく一方、アルミ押出管（１）の一端部を気密状態に受け止め固定した上、そのアルミ押出管（１）の他端部からカバーチューブ（２）を押し込み套嵌させると共に、その際アルミ押出管（１）の他端部からカバーチューブ（２）の中空内部へ空気を圧送して、その内圧により上記予備状態のカバーチューブ（２）を膨張させ乍ら、その芯材であるアルミ押出管（１）の全体長さに亘って通し込み、最後にカバーチューブ（２）を冷却すれば良い。
【００３６】
そうすれば、カバーチューブ（２）が自己の弾力性によりアルミ押出管（１）を滑り移動し、その膨張の復元的な収縮力によって、アルミ押出管（１）の円周面へ自づと強固に被着一体化することになる結果、握り持ち使用上不慮に空転したり、まして抜け出したりする危険性はない。
【００３７】
先に一言したＬＥＤ配線基板（７）は屈曲可能な可撓材から図１０、１１や図１２、１３のような一定幅（Ｗ）の長い帯板状に形成されており、これに一定間隔おきの点在分布状態として植え付けられた多数のＬＥＤ（発光ダイオード）（８）が、好ましくは表側から合成樹脂モールドやその他の透明なカバー（９）によって被覆された状態にある。図１２の符号（Ｃ−Ｃ）はそのＬＥＤ配線基板（７）のカットできる位置を示している。
【００３８】
その場合、ＬＥＤ配線基板（７）は屈曲できる可撓材から成るため、これを上記手摺り本体（Ｇ）におけるアルミ押出管（１）の溝レール（６）へ、直かに正しく差し込み敷設することが困難であり、そのＬＥＤ（８）からの投光方向が不均一になる。同様な問題は、製品としての幅（Ｗ）に広狭のバラツキ変化がある場合にも起る。
【００３９】
そこで、図１４、１５のようなアルミ押出材のアダプター（Ａ１）（Ａ２）を作成準備して、その内部へ図２、４や図１６、１７のように上記ＬＥＤ配線基板（７）の裏面を両面接着テープ（１０）などにより貼り付けた上、そのアダプター（Ａ１）（Ａ２）を上記手摺り本体（Ｇ）におけるアルミ押出管（１）の中空内部へ抜き差し自在に差し込み敷設するのである。
【００４０】
この点、図１４、１６のＬＥＤ配線基板支持用アダプター（Ａ１）は断面倒立ハット形をなし、その一対の張出しフランジ（１１）が上記手摺り本体（Ｇ）におけるアルミ押出管（１）の溝レール（６）へ、差し込み係止された吊り掛け状態にある。これに比して、図１５、１７のアダプター（Ａ２）は上記断面倒立ハット形のアダプター（Ａ１）よりも深い断面Ｕ字形に造形されており、手摺り本体（Ｇ）におけるアルミ押出管（１）の補強仕切り壁（４）に搭載した状態として、そのアルミ押出管（１）のアダプター受け入れ口（５）へ差し込まれている。
【００４１】
尚、上記アダプター（Ａ１）（Ａ２）の何れにあっても、これを手摺り本体（Ｇ）におけるアルミ押出管（１）の中空内部から抜き出して、そのＬＥＤ配線基板（７）の保守・点検や交換などを行えることは勿論である。
【００４２】
（Ｂ）は上記手摺り本体（Ｇ）の両端部を屋内の壁面（Ｍ）へ固定支持する対称な一対の手摺り受け（エンドブラケット）であり、亜鉛ダイカスト製品として、中空の傾斜支柱形（図示実施形態の場合）やエルボ形などに造形されている。
【００４３】
即ち、手摺り受け（Ｂ）の各個は図２〜６のような先端側の差込み口筒（１２）と根元側の取付脚柱（１３）とを備えており、その差込み口筒（１２）が上記手摺り本体（Ｇ）の端部へ差し込み套嵌される一方、取付脚柱（１３）が屋内の壁面（Ｍ）へ取り付け固定されるようになっている。
【００４４】
（１４）は上記差込み口筒（１２）と取付脚柱（１３）との境界部に垂立する仕切り壁であり、上記ＬＥＤ配線基板支持用のアダプター（Ａ１）（Ａ２）を受け止める。しかもその仕切り壁（１４）の中央部には並列する一対のビス受け入れ孔（１５）と、同じく仕切り壁（１４）の先端部には１個の広幅な配線口（１６）とが、各々切り抜かれている。
【００４５】
上記仕切り壁（１４）によって差込み口筒（１２）と区分された取付脚柱（１３）は、中空の角箱形態をなし、その背面カバー（１７）によって開閉することができるようになっている。背面カバー（１７）は手摺り受け（Ｂ）と同じ着色カラーの硬質な合成樹脂から成り、その先端部から内向きに長く張り出す係止爪（１８）が上記仕切り壁（１４）における配線口（１６）の開口縁部へ、同じく根元部から内向きに短く張り出す一対の係止爪（１９）が上記取付脚柱（１３）の開口縁部へ、各々係脱自在に係止するようになっている。
【００４６】
又、（２０）は上記手摺り本体（Ｇ）の端部へ取り付けられるエンド座金であって、図１８〜２０に抽出して示す如く、アルミ押出管（１）における裏側の半分よりも若干大きな面積を覆う超半円形の金属板（好ましくは真鋳）から成り、これから内向き一体的に張り出すほぼ半円柱状の差込み凸子（２１）が、上記アルミ押出管（１）の対応的な大きさを有するデッドスペース（Ｓ２）の内部へ、接着剤（図示省略）を介して差し込み固定されている。
【００４７】
（２２）はそのエンド座金（２０）に対する差込み凸子（２１）の取り付け固定ビス、（２３）は上記アルミ押出管（１）の光透過口（３）を通る直径線（Ｙ−Ｙ）と直交するエンド座金（２０）の直径線（Ｘ−Ｘ）上に並列する一対のネジ孔であり、上記手摺り受け（Ｂ）の仕切り壁（１４）に開口分布する一対のビス受け入れ孔（１５）と対応合致する。
【００４８】
そして、手摺り受け（Ｂ）の差し込み口筒（１２）を手摺り本体（Ｇ）の端部へ差し込み套嵌させた後、その手摺り受け（Ｂ）側の仕切り壁（１４）に開口しているビス受け入れ孔（１５）から、手摺り本体（Ｇ）側のエンド座金（２０）に開口しているネジ孔（２３）へ、固定ビス（２４）の一対を各々螺入締結することにより、その手摺り本体（Ｇ）と手摺り受け（Ｂ）とを組立一体化することができ、その分解も可能である。
【００４９】
上記超半円形の金属板から成るエンド座金（２０）の直径線（Ｘ−Ｘ）上に、手摺り受け（Ｂ）側のビス受け入れ孔（１５）と合致連通するネジ孔（２３）の一対が開口形成されているため、上記手摺り本体（Ｇ）とその手摺り受け（Ｂ）との組立て上、ＬＥＤ（８）からの投光方向を１８０度だけ（例えば上下の逆向きや表裏の逆向きに）変えることができる。
【００５０】
その投光方向を変える場合でも、後述の給電線を極力短かい一定長さでの支障なく配線できるようにするため、エンド座金（２０）の中央部には上記直径線（Ｘ−Ｘ）と直交する配線溝（２５）が列設されている。その配線溝（２５）は上記手摺り受け（Ｂ）の仕切り壁（１４）に開口する配線口（１６）と連通することになる。
【００５１】
他方、上記手摺り受け（Ｂ）を形作る取付脚柱（１３）の取付座面（２６）は、図４、５から明白なように、その中央部だけの揚げ底になっており、その内部を追って埋め戻す結果になるベース座金（２７）が、複数の木ネジ（２８）やコンクリート釘などによって屋内の壁面（Ｍ）へ、予じめ取り付け固定されるようになっている。
【００５２】
（２９）はそのベース座金（２７）から一体的に曲げ起された一対の位置決めキー、（３０）はその位置決めキー（２９）の受け入れ口であり、上記取付脚柱（１３）の取付座面（２６）に切り抜かれている。（３１）は同じく取付脚柱（１３）の取付座面（２６）へ片寄った根元付近に切り抜かれた配線口、（３２）は上記木ネジ（２８）などの受け入れ連通孔であり、取付脚柱（１３）の取付座面（２６）とベース座金（２７）に連通する状態として、開口分布されている。
【００５３】
更に、上記取付脚柱（１３）における取付座面（２６）の中央部と上記ベース座金（２７）の中央部には、互いに合致連通し得るビス受け入れ孔（３３）とネジ孔（３４）との一対づつが開口分布されており、屋内の壁面（Ｍ）へ予じめ取り付け固定したベース座金（２７）に対して、その後手摺り受け（Ｂ）における取付脚柱（１３）の取付座面（２６）を、その取付座面（２６）のビス受け入れ孔（３３）からベース座金（２７）の対応的なネジ孔（３４）へ螺入締結する固定ビス（３５）の一対により、取り付け固定することができるようになっている。
【００５４】
その際、ベース座金（２７）から起立している一対の位置決めキー（２９）へ、上記取付座面（２６）の位置決めキー受け入れ口（３０）を差し込むことにより、その取付脚柱（１３）を振れ廻るおそれなく固定維持し得ることは、言うまでもない。
【００５５】
本発明の屋内用照明手摺りは、図２１のブロック図に示す如く、平常時交流電源（３６）によって点灯されるが、その停電した非常時には予備の直流電源（乾電池）（３７）を使って、しかも一方向への誘導灯として機能し得るように構成されている。
【００５６】
即ち、図１〜６の符号（３８）は合成樹脂などの電気絶縁材から成る開閉可能な電池ボックスであり、その裏面から一体的に張り出す取付座板（３９）が、上記ベース座金（２７）の裏面に敷かれた状態として、そのベース座金（２７）と一緒に屋内の壁面（Ｍ）へ取り付け固定される。そのための木ネジ（２８）などと別個な固定ビス（３５）により、その後ベース座金（２７）の表側から手摺り受け（Ｂ）の取付脚柱（１３）が取り付け固定されることは、既述のとおりである。尚、電池ボックス（３８）の取りはずしや交換も行なえるようになっている。
【００５７】
（４０）は上記電池ボックス（３８）に内蔵設置された制御回路基板（制御部）であり、適当な長さの給電線（４１）を介して、上記手摺り本体（Ｇ）内のＬＥＤ配線基板（７）と接続されている。その給電線（４１）が上記手摺り受け（Ｂ）の配線口（１６）（３１）に導通されていることは、言うまでもない。
【００５８】
（４２）は同じく電池ボックス（３８）の内部に並列設置された電池受け枠であり、直流電源（３７）となる乾電池の複数本（例えば図示する単３形の合計４本）を受け持っている。
【００５９】
その場合、図１〜６に示した実施形態では電池ボックス（３８）内の中央部に上記制御回路基板（４０）を取り付け固定すると共に、その両隣り位置への振り分け状態に配設した一対の電池受け枠（４２）によって、単３形乾電池の２本づつを支持しているが、その電池ボックス（３８）の大きさや乾電池の本数は上記手摺り本体（Ｇ）の長さやＬＥＤ（８）の個数などに応じて増減変更することができる。
【００６０】
又、（４３）は上記制御回路基板（４０）から電池ボックス（３８）の外部へ露出された一対の赤外線センサー（人感センサー）であり、平常時に働く上記ＬＥＤ（８）の発光スイッチとして、その平常時手摺り本体（Ｇ）における長手方向の前方と逆な後方との何れから人が接近しても、その人体を検知して、手摺り本体（Ｇ）のＬＥＤ（８）を自動的に発光（点灯）させるべく、オン・オフ制御し得るようになっている。
【００６１】
（４４）は上記直流電源（乾電池）（３７）の消耗状態を表示する点滅ランプ、（４５）は上記制御回路基板（４０）から電池ボックス（３８）の外部へ導出された適当な長さの電源コードであり、既設建物の交流電源（コンセント）（３６）へ抜き差し使用されるプラグを図示しているが、新設の建物では外部から見えない施工状態に電気配線されることもある。
【００６２】
要するに、手摺り本体（Ｇ）を形作るアルミ押出管（１）のＬＥＤ配線基板用収納スペース（Ｓ１）には、予じめ多数のＬＥＤ（８）を植え付けたＬＥＤ配線基板（７）が差し込み敷設されているため、そのＬＥＤ（８）の発光は図２、４、１６、１７の点線矢印で示すように、アルミ押出管（１）の光透過口（３）とカバーチューブ（２）を通じて、手摺り本体（Ｇ）の外部へ透過することになり、その人の握り持ち手や足元などを照明することができる。
【００６３】
そして、地震や火災、落雷などの発生により停電した非常時には、これを電圧低下などに基き検知した制御部（制御回路基板）（４０）が、その電源を交流電源（３６）から直流電源（３７）へ切り替え制御し、その直流電源（３７）により上記手摺り本体（Ｇ）のＬＥＤ（８）を発光（点灯）させるようになっている。
【００６４】
しかも、その非常時におけるＬＥＤ（８）の発光方法は図２２に模式化して例示する如く、一定間隔おきに多数点在分布しているＬＥＤ（８）のうち、その少なくとも３個（８ａ）（８ｂ）（８ｃ）を１組の単位とする多数の組（Ｕ１）〜（Ｕ６）について、先ず第１番目に各組（Ｕ１）〜（Ｕ６）の符号（８ａ）で示すＬＥＤだけを一挙同時に発光させ、次いで第２番目に各組（Ｕ１）〜（Ｕ６）の符号（８ｂ）で示すＬＥＤだけを一挙同時に発光させ、その後第３番目に各組（Ｕ１）〜（Ｕ６）の符号（８ｃ）で示すＬＥＤだけを一挙同時に発光させる順序として、これを何回も繰り返し実行するように、その発光方法を上記制御部（制御回路基板）（４０）によって制御するのである。
【００６５】
つまり、上記符号（８ａ）（８ｂ）（８ｃ）が並ぶ移動順序に従って、そのＬＥＤ（８）を少なくとも２個おきに同時発光（点滅）させるのであり、このような順序（時系列）での発光制御を行えば、そのＬＥＤ（８）が符号（８ａ）（８ｂ）（８ｃ）の順序に並ぶ方向へ、発光が流れる（走査する）如く目視観察されることになり、誘導矢印と同等の進行案内作用を果すことができるため、その方向の目標個所を建物の平常出入口や非常口（Ｅ）となるように設定することにより、非常時の避難誘導に大変役立つ。
【００６６】
その結果、一般家庭用となる階層住宅（マンション）は勿論のこと、特にホテルや病院、老人介護施設、学校、駅、音楽ホール、その他の各種公共施設における階段や廊下、通路などの照明手摺りとして著しく有効である。
【００６７】
図１〜６に示した本発明の第１実施形態では、電池ボックス（３８）の取付座板（３９）を手摺り受け（エンドブラケット）（Ｂ）における取付脚柱（１３）の言わば下敷きとして、屋内の壁面（Ｍ）へ取り付け固定することにより、その電池ボックス（３８）を手摺り受け（Ｂ）へ直かに付属一体化させているが、図２３、２４の第２実施形態に示す如く、上記手摺り本体（Ｇ）の手摺り受け（エンドブラケット）（Ｂ）から電池ボックス（３８）を引き離した独立状態として、その電池ボックス（３８）の裏面又は上記取付座板（３９）を複数の木ネジ（４６）などにより、別個に屋内における壁面（Ｍ）の希望個所へ取り付け固定しても良い。
【００６８】
この点、図示の実施形態では屋内の壁面（Ｍ）へ木ネジ（２８）などにより取り付け固定したベース座金（２７）に対して、その後手摺り受け（Ｂ）における取付脚柱（１３）の取付座面（２６）を固定ビス（３５）により取り付け一体化する一方、その手摺り受け（Ｂ）から適当な長さの給電線（４１）を介して引き離された電池ボックス（３８）の裏板（３８ａ）を、別個な複数の木ネジ（４６）などによって屋内の壁面（Ｍ）へ取り付け固定しているが、その電池ボックス（３８）は手摺り受け（エンドブラケット）（Ｂ）から別個独立しているため、これを屋内の壁面（Ｍ）へ埋め込み状態に設置してもさしつかえない。
【００６９】
このような第２実施形態の構成によれば、上記第１実施形態の構成に比して、電池ボックス（３８）を制約なく大型化することができると共に、その屋内の壁面（Ｍ）に対する取付位置を自由に選定し得るため、各種公共施設の階段や通路などに延在する長い手摺り本体（Ｇ）用としてふさわしく、施工上の臨機応変性や利便性にも優れる。
【００７０】
又、図２５〜２８は本発明の第３実施形態を示しており、これでは上記第１、２実施形態のような別個な電池ボックス（３８）の設置を省略し、手摺り受け（エンドブラケット）（Ｂ）における上記角箱形態の取付脚柱（１３）を電池ボックスとして兼用している。
【００７１】
そして、その取付脚柱（１３）の開閉可能な背面カバー（１７）へ内側から制御回路基板（制御部）（４０）と電池受け枠（４２）とを、共通の支持脚（４７）により取り付け固定すると共に、その１個の電池受け枠（４２）によって直流電源（３７）となる単４形乾電池の２本を受け持っている。
【００７２】
しかも、赤外線センサー（人感センサー）（４３）を上記制御回路基板（４０）から背面カバー（１７）の外部へ露出する状態に設置している。（４８）は上記第１、２実施形態の取付脚柱（１３）に開口形成された配線口（３１）へ、その差し込み状態に固定された中継端子（アダプター）であり、ここに電源コード（４５）の根元部が抜き差し自在に差し込み使用されることになる。尚、その中継端子（４８）と上記制御回路基板（４０）とを接続する給電線は図示省略してある。
【００７３】
このような第３実施形態の構成によれば、別個な電池ボックス（３８）の設置が不要であるため、屋内における壁面（Ｍ）の意匠的な効果に優れ、一般家庭の比較的短かい手摺り本体（Ｇ）用としてふさわしく、施工性も向上する。
【００７４】
尚、図２３〜２８の第２、３実施形態におけるその他の構成と作用は図１〜６の上記第１実施形態と実質的に同一であるため、その図２３〜２８に図１〜６との対応符号を記入するにとどめて、その詳細な説明を省略する。
【００７５】
上記第１〜３実施形態の手摺り本体（Ｇ）としては、そのアルミ押出管（１）の長手方向に沿って一条の光透過口（３）を切り欠き列設しているが、その第１〜３実施形態の何れにあっても、図２９〜３１の変形実施形態に示す如く、光透過口（３）をアルミ押出管（１）の長手方向に沿い点在分布する多数として、そのアルミ押出管（１）の円周面に切り抜く構成を採用することができる。
【００７６】
しかも、その場合光透過口（３）の各個をレーザー加工などによって、図３１に例示するようなハート形やキャラクターなどの図形、文字又は記号から成る標章の輪郭形状に切り抜いても良い。
【００７７】
そうすれば、保育園や幼稚園、小学校などの廊下や階段、通路にふさわしく、愛着感や興趣変化などに富む照明手摺りを得られる効果がある。
【００７８】
更に、上記第１〜３実施形態の構成をストレートな手摺り本体（Ｇ）に基いて説明したが、本発明の屋内用照明手摺りはその手摺り本体（Ｇ）のアルミ押出管（１）を複数に分割した上、中空のフレキシブル継手（Ｆ）を介して連結一本化し、そのフレキシブル継手（Ｆ）も含む全体長さに亘って、上記光透過性のカバーチューブ（２）を通し込み状態に被着一体化することにより、屈曲する長い廊下や通路、階段などにふさわしい施工状態も得られるのである。
【００７９】
即ち、図３２〜３５は廊下や通路の屈曲コーナー部（出隅部）に適用した本発明の施工状態を例示しており、（５０）は手摺り本体（Ｇ）のアルミ押出管（１）とほぼ同じ外径（Ｄ）並びに一定の長さ（Ｌ）（例えば約１５０mm）を有する金属のコイルバネ、（５１）は一対の中空プラグであり、硬質合成樹脂（好ましくは商品名：ジュラコン）から段付きの円筒形に一体成形されている。
【００８０】
その場合、中空プラグ（５１）の各個を形作る先端側の約半部は上記コイルバネ（５０）への締結筒（５２）として、その円周面に螺旋条（５３）が刻設されている一方、残る基端側の約半部は上記手摺り本体（Ｇ）におけるアルミ押出管（１）のデッドスペース（Ｓ２）内へ正しく差し込み固定される差込み芯（５４）として、正面視のほぼＵ字形や半円形に造形されている。（５５）は上記締結筒（５２）の直径方向に沿って固定横架された索条係止ピンである。
【００８１】
そして、上記中空プラグ（５１）の締結筒（５２）がコイルバネ（５０）の切り離し両端部へ各々螺入締結されることにより、その全体として上記のフレキシブル継手（Ｆ）を形作っている。そのため、これを上記コイルバネ（５０）の中途部から自由自在に屈曲させることができる。（５６）は両中空プラグ（５１）における索条係止ピン（５５）同士の前後相互間へ、連繋状態に係止されたワイヤーやその他の索条であり、上記コイルバネ（５０）の圧縮は許容しつつも、その一定長さ（Ｌ）以上に伸張することを防ぐ。
【００８２】
図３２、３３に示した照明手摺りの手摺り本体（Ｇ）は、このようなフレキシブル継手（Ｆ）の両端部に位置する中空プラグ（５１）の差込み芯（５４）を、これと向かい合うストレートなアルミ押出管（１）のデッドスペース（Ｓ２）へ各々差込み固定して、その複数のアルミ押出管（１）と連結一本化した後、その直列状態のアルミ押出管（１）とフレキシブル継手（Ｆ）との全体長さに亘って、上記カバーチューブ（２）を通し込み状態に被着一体化させたものである。
【００８３】
その場合、上記フレキシブル継手（Ｆ）はコイルバネ（５０）と、その両端部へ螺入締結された中空プラグ（５１）とから成るため、屈曲可能な可撓材のＬＥＤ配線基板（７）をそのフレキシブル継手（Ｆ）の内部に介在することとなる長さ部分だけ、ＬＥＤ配線基板支持用アダプター（Ａ１）（Ａ２）に貼り付けることなく単独使用することによって、その照明手摺りを自由自在に屈曲させることができ、その屈曲部分に存在するＬＥＤ（８）からも図３３の点線矢印で示す如く発光する状態を得られる。
【００８４】
つまり、照明手摺りの屈曲部分を例えば各種公共施設の長い階段における傾斜部と踊り場との境界や、老人介護施設における廊下の出隅又は入隅へ対応位置させることによって、これらの境界部や角隅部も照明できるため、通行上の安全性がますます向上する。
【００８５】
尚、長い照明手摺りを屈曲状態に施工する場合、その手摺り本体（Ｇ）の適当な中間部や、殊更フレキシブル継手（Ｆ）における両端部の中空プラグ（５１）と、アルミ押出管（１）との差し込み固定した継ぎ目部を、図示のような中途手摺り受け（ブラケット）（５７）の所要数によって、室内の壁面（Ｍ）へ固定支持させることが好ましい。
【符号の説明】
【００８６】
（１）・アルミ押出管
（２）・カバーチューブ
（３）・光透過口
（４）・補強仕切り壁
（５）・アダプター受け入れ口
（６）・溝レール
（７）・ＬＥＤ配線基板
（８）（８ａ）（８ｂ）（８ｃ）・ＬＥＤ（発光ダイオード）
（９）・透明カバー
（１０）・両面接着テープ
（１１）・張出しフランジ
（１２）・差込み口筒
（１３）・取付脚柱
（１４）・仕切り壁
（１５）・ビス受け入れ孔
（１６）（３１）・配線口
（１７）・背面カバー
（１８）（１９）・係止爪
（２０）・エンド座金
（２１）・差込み凸子
（２２）（２４）（３５）・固定ビス
（２３）（３４）・ネジ孔
（２５）・配線溝
（２６）・取付座面
（２７）・ベース座金
（２８）（４６）・木ネジ
（２９）・位置決めキー
（３０）・位置決めキー受け入れ口
（３２）・連通孔
（３３）・ビス受け入れ孔
（３６）・交流電源
（３７）・直流電源
（３８）・電池ボックス
（３９）・取付座板
（４０）・制御部（制御回路基板）
（４１）・給電線
（４２）・受け枠
（４３）・赤外線センサー
（４４）・ランプ
（４５）・電源コード
（４７）・支持脚
（４８）・中継端子
（５０）・コイルバネ
（５１）・中空プラグ
（５２）・締結筒
（５３）・螺旋条
（５４）・差込み芯
（５５）・索条係止ピン
（５６）・索条
（５７）・中途手摺り受け
（Ａ１）（Ａ２）・ＬＥＤ配線基板支持用アダプター
（Ｂ）・手摺り受け（エンドブラケット）
（Ｅ）・出入口（非常口）
（Ｆ）・フレキシブル継手
（Ｇ）・手摺り本体
（Ｍ）・壁面
（Ｏ１）（Ｏ２）・開口幅
（Ｓ１）・収納スペース
（Ｓ２）・デッドスペース
（Ｘ−Ｘ）・直径線
（Ｙ−Ｙ）・直径線
【図１】
0005846559.tif 000002
【図２】
0005846559.tif 000003
【図３】
0005846559.tif 000004
【図４】
0005846559.tif 000005
【図５】
0005846559.tif 000006
【図６】
0005846559.tif 000007
【図７】
0005846559.tif 000008
【図８】
0005846559.tif 000009
【図９】
0005846559.tif 000010
【図１０】
0005846559.tif 000011
【図１１】
0005846559.tif 000012
【図１２】
0005846559.tif 000013
【図１３】
0005846559.tif 000014
【図１４】
0005846559.tif 000015
【図１５】
0005846559.tif 000016
【図１６】
0005846559.tif 000017
【図１７】
0005846559.tif 000018
【図１８】
0005846559.tif 000019
【図１９】
0005846559.tif 000020
【図２０】
0005846559.tif 000021
【図２１】
0005846559.tif 000022
【図２２】
0005846559.tif 000023
【図２３】
0005846559.tif 000024
【図２４】
0005846559.tif 000025
【図２５】
0005846559.tif 000026
【図２６】
0005846559.tif 000027
【図２７】
0005846559.tif 000028
【図２８】
0005846559.tif 000029
【図２９】
0005846559.tif 000030
【図３０】
0005846559.tif 000031
【図３１】
0005846559.tif 000032
【図３２】
0005846559.tif 000033
【図３３】
0005846559.tif 000034
【図３４】
0005846559.tif 000035
【図３５】
0005846559.tif 000036